(57)【要約】      （修正有）【課題】画像処理の順序に制約が生じる場合があっても、この制約に対応して処理を実行し、処理の順序に制約がなければ、効率のよい順序で処理を行う。【解決手段】画像処理装置３００Ａは、入力画像データに基づく画像の解像度又はアスペクト比と、液晶パネルの解像度又はアスペクト比との差に対応するサイズの付加画像データを入力画像データに付加する黒帯挿入部１５２と、入力画像データに基づく画像の解像度又はアスペクト比と、設定された解像度又はアスペクト比との差に対応するサイズの付加画像データを合成画像データに付加する形状補正部１５４Ａとを備える。入力画像データ又は合成画像データに付加される付加画像データの位置に、重畳画像データが合成されるか否かに応じて、黒帯挿入部１５２により付加画像データを付加する処理又は形状補正部１５４Ａにより付加画像データを付加する処理を実行する。【選択図】図４
2017228884.tif 000002
【特許請求の範囲】
【請求項１】
入力画像データに基づき、設定された解像度又はアスペクト比の出力画像データを出力する画像処理装置であって、
前記入力画像データに、重畳画像データを合成して合成画像データを出力する合成部と、
前記入力画像データに基づく画像の解像度又はアスペクト比と、設定された前記解像度又はアスペクト比との差に対応するサイズの付加画像データを前記入力画像データに付加する第１付加部と、
前記入力画像データに基づく画像の解像度又はアスペクト比と、設定された前記解像度又はアスペクト比との差に対応するサイズの前記付加画像データを前記合成画像データに付加する第２付加部と、
前記入力画像データ又は前記合成画像データに付加される前記付加画像データの位置に、前記重畳画像データが合成されるか否かに応じて、前記第１付加部により前記付加画像データを付加する処理、又は前記第２付加部により前記付加画像データを付加する処理を実行すること、を特徴とする画像処理装置。
【請求項２】
前記入力画像データ又は前記合成画像データに付加される前記付加画像データの位置に、前記重畳画像データが合成される場合に、前記第１付加部に、前記付加画像データを付加する処理を実行させ、
前記入力画像データ又は前記合成画像データに付加される前記付加画像データの位置に、前記重畳画像データが合成されない場合に、前記第２付加部に、前記付加画像データを付加する処理を実行させる制御部を備えることを特徴とする請求項１記載の画像処理装置。
【請求項３】
記憶部を備え、
前記第１付加部は、前記入力画像データを前記記憶部に書き込み、前記記憶部から読み出した前記入力画像データに前記付加画像データを付加し、
前記第２付加部は、前記合成画像データに対して第１処理を行う第１処理部として機能し、前記第１処理後の前記合成画像データに前記付加画像データを付加して前記記憶部に書き込む、ことを特徴とする請求項１又は２記載の画像処理装置。
【請求項４】
記憶部を備え、
前記第１付加部は、前記入力画像データを前記記憶部に書き込み、前記記憶部から読み出した前記入力画像データに前記付加画像データを付加し、
前記第２付加部は、前記記憶部に書き込まれた前記合成画像データを読み出し、読み出した前記合成画像データに対して第１処理を行う第１処理部として機能し、前記第１処理後の前記合成画像データに前記付加画像データを付加して出力する、ことを特徴とする請求項１又は２記載の画像処理装置。
【請求項５】
前記入力画像データを前記記憶部に書き込み、前記記憶部から読み出した前記入力画像データに対して第２処理を行う第２処理部を備え、
前記制御部は、前記第１付加部に、前記付加画像データを付加させる場合に、前記第２処理部の処理の実行を制限する、ことを特徴とする請求項３又は４記載の画像処理装置。
【請求項６】
入力画像データに基づき、設定された解像度又はアスペクト比の出力画像データを表示部に表示させる表示装置であって、
前記入力画像データに、重畳画像データを合成して合成画像データを出力する合成部と、
前記入力画像データに基づく画像の解像度又はアスペクト比と、設定された前記解像度又はアスペクト比との差に対応するサイズの付加画像データを前記入力画像データに付加する第１付加部と、
前記入力画像データに基づく画像の解像度又はアスペクト比と、設定された前記解像度又はアスペクト比との差に対応するサイズの前記付加画像データを前記合成画像データに付加する第２付加部と、
前記第２付加部により前記付加画像データが付加され、前記合成部が前記重畳画像データを合成した前記合成画像データ、又は前記第２付加部により前記付加画像データが付加された前記合成画像データを前記出力画像データとして表示させる前記表示部と、を備え、
前記入力画像データ又は前記合成画像データに付加される前記付加画像データの位置に、前記重畳画像データが合成されるか否かに応じて、前記第１付加部により前記付加画像データを付加する処理、又は前記第２付加部により前記付加画像データを付加する処理を実行すること、を特徴とする表示装置。
【請求項７】
入力画像データに基づき、設定された解像度又はアスペクト比の出力画像データを出力する画像処理装置の制御方法であって、
前記入力画像データに、重畳画像データを合成して合成画像データを出力する合成ステップと、
前記入力画像データに基づく画像の解像度又はアスペクト比と、設定された前記解像度又はアスペクト比との差に対応するサイズの付加画像データを前記入力画像データに付加する第１付加ステップと、
前記入力画像データに基づく画像の解像度又はアスペクト比と、設定された前記解像度又はアスペクト比との差に対応するサイズの前記付加画像データを前記合成画像データに付加する第２付加ステップと、を有し、
前記入力画像データ又は前記合成画像データに付加される前記付加画像データの位置に、前記重畳画像データが合成されるか否かに応じて、前記第１付加ステップ又は前記第２付加ステップにより前記付加画像データを付加すること、を特徴とする画像処理装置の制御方法。
【発明の詳細な説明】
【技術分野】
【０００１】
本発明は、画像処理装置、表示装置、及び、画像処理装置の制御方法に関する。
【背景技術】
【０００２】
従来、入力画像データの解像度が、設定された解像度と異なる場合に、入力画像データを拡大又は縮小してディスプレイの解像度と合致させることが行われている（例えば、特許文献１参照）。
また、従来、入力画像データの解像度が、設定された解像度と異なる場合に、いわゆる黒帯を入力画像データに付加することがあった（特許文献２参照）。
【先行技術文献】
【特許文献】
【０００３】
【特許文献１】特開平８−１３７４４４号公報
【特許文献２】特開２００８−９８６９３号公報
【発明の概要】
【発明が解決しようとする課題】
【０００４】
しかしながら、入力画像データに他の画像データを合成したり、付加したりする場合、処理の競合、すなわち、処理の順序が問題となる場合があった。
本発明は上記事情に鑑みてなされたものであり、処理の順序に制約が生じる場合があっても、この制約に対応して処理を実行でき、処理の順序に制約がなければ、効率のよい順序で処理を行うことができる画像処理装置、表示装置、及び、画像処理装置の制御方法を提供することを目的とする。
【課題を解決するための手段】
【０００５】
上記目的を達成するために、本発明の画像処理装置は、入力画像データに基づき、設定された解像度又はアスペクト比の出力画像データを出力する画像処理装置であって、前記入力画像データに、重畳画像データを合成して合成画像データを出力する合成部と、前記入力画像データに基づく画像の解像度又はアスペクト比と、設定された前記解像度又はアスペクト比との差に対応するサイズの付加画像データを前記入力画像データに付加する第１付加部と、前記入力画像データに基づく画像の解像度又はアスペクト比と、設定された前記解像度又はアスペクト比との差に対応するサイズの前記付加画像データを前記合成画像データに付加する第２付加部と、前記入力画像データ又は前記合成画像データに付加される前記付加画像データの位置に、前記重畳画像データが合成されるか否かに応じて、前記第１付加部により前記付加画像データを付加する処理、又は前記第２付加部により前記付加画像データを付加する処理を実行することを特徴とする。
本発明によれば、付加画像データの位置に、重畳画像データが合成されるか否かに応じて、付加画像データを付加する処理を実行する付加部を第１付加部又は第２付加部に切り替える。従って、入力画像データに重畳画像データを合成した後に、付加画像データを付加する処理の順序が効率のよい処理の順序である場合において、付加画像データの位置に、重畳画像データを合成する場合等、処理の順序に制約が生じる場合には、この制約に対応して処理を実行することができる。また、処理の順序に制約がなければ、効率のよい順序で処理を行うことができる。
【０００６】
また、本発明は上記画像処理装置において、前記入力画像データ又は前記合成画像データに付加される前記付加画像データの位置に、前記重畳画像データが合成される場合に、前記第１付加部に、前記付加画像データを付加する処理を実行させ、前記入力画像データ又は前記合成画像データに付加される前記付加画像データの位置に、前記重畳画像データが合成されない場合に、前記第２付加部に、前記付加画像データを付加する処理を実行させる制御部を備えることを特徴とする。
本発明によれば、制御部が、入力画像データ又は合成画像データに付加される付加画像データの位置に、重畳画像データが合成されるか否かを判定し、第１付加部又は第２付加部に付加画像データを付加する処理を実行させる。
従って、入力画像データ又は合成画像データに付加される付加画像データの位置に、重畳画像データが合成されるか否かを制御部に判定させ、判定結果に基づいて、第１付加部又は第２付加部に付加画像データを付加する処理を実行させることができる。
【０００７】
また、本発明は上記画像処理装置において、記憶部を備え、前記第１付加部は、前記入力画像データを前記記憶部に書き込み、前記記憶部から読み出した前記入力画像データに前記付加画像データを付加し、前記第２付加部は、前記合成画像データに対して第１処理を行う第１処理部として機能し、前記第１処理後の前記合成画像データに前記付加画像データを付加して前記記憶部に書き込むことを特徴とする。
本発明によれば、第２付加部が第１処理を行って合成画像データを記憶部に書き込むときに、合成画像データに付加画像データを付加させることができる。従って、合成画像データに付加画像データを付加するためだけに、合成画像データを記憶部に書き込んだり、記憶部から合成画像データを読み出したりする処理を行う必要がなくなり、記憶部に接続するバスの帯域負荷の増加を抑制することができる。
【０００８】
また、本発明は上記画像処理装置において、記憶部を備え、前記第１付加部は、前記入力画像データを前記記憶部に書き込み、前記記憶部から読み出した前記入力画像データに前記付加画像データを付加し、前記第２付加部は、前記記憶部に書き込まれた前記合成画像データを読み出し、読み出した前記合成画像データに対して第１処理を行う第１処理部として機能し、前記第１処理後の前記合成画像データに前記付加画像データを付加して出力することを特徴とする。
本発明によれば、第２付加部が記憶部から合成画像データを読み出して、第１処理を行うときに、合成画像データに付加画像データを付加させることができる。従って、合成画像データに付加画像データを付加するためだけに、合成画像データを記憶部に書き込んだり、記憶部から合成画像データを読み出したりする処理を行う必要がなくなり、記憶部に接続するバスの帯域負荷の増加を抑制することができる。
【０００９】
また、本発明は上記画像処理装置において、前記入力画像データを前記記憶部に書き込み、前記記憶部から読み出した前記入力画像データに対して第２処理を行う第２処理部を備え、前記制御部は、前記第１付加部に、前記付加画像データを付加させる場合に、前記第２処理部の処理の実行を制限することを特徴とする。
本発明によれば、入力画像データに付加画像データを付加するために、記憶部に入力画像データを書き込んだり、記憶部から入力画像データを読み出したりする処理を行う場合に、第２処理部の処理の実行が制限されるので、記憶部に接続するバスの帯域負荷の増加を抑制することができる。
【００１０】
また、本発明の表示装置は、入力画像データに基づき、設定された解像度又はアスペクト比の出力画像データを表示部に表示させる表示装置であって、前記入力画像データに、重畳画像データを合成して合成画像データを出力する合成部と、前記入力画像データに基づく画像の解像度又はアスペクト比と、設定された前記解像度又はアスペクト比との差に対応するサイズの付加画像データを前記入力画像データに付加する第１付加部と、前記入力画像データに基づく画像の解像度又はアスペクト比と、設定された前記解像度又はアスペクト比との差に対応するサイズの前記付加画像データを前記合成画像データに付加する第２付加部と、前記第２付加部により前記付加画像データが付加され、前記合成部が前記重畳画像データを合成した前記合成画像データ、又は前記第２付加部により前記付加画像データが付加された前記合成画像データを前記出力画像データとして表示させる前記表示部と、を備え、前記入力画像データ又は前記合成画像データに付加される前記付加画像データの位置に、前記重畳画像データが合成されるか否かに応じて、前記第１付加部により前記付加画像データを付加する処理、又は前記第２付加部により前記付加画像データを付加する処理を実行することを特徴とする。
本発明によれば、付加画像データの位置に、重畳画像データが合成されるか否かに応じて、付加画像データを付加する処理を実行する付加部を第１付加部又は第２付加部に切り替える。従って、入力画像データに重畳画像データを合成した後に、付加画像データを付加する処理の順序が効率のよい処理の順序である場合において、付加画像データの位置に、重畳画像データを合成する場合等、処理の順序に制約が生じる場合には、この制約に対応して処理を実行することができる。また、処理の順序に制約がなければ、効率のよい順序で処理を行うことができる。
【００１１】
また、本発明の画像処理装置の制御方法は、入力画像データに基づき、設定された解像度又はアスペクト比の出力画像データを出力する画像処理装置の制御方法であって、前記入力画像データに、重畳画像データを合成して合成画像データを出力する合成ステップと、前記入力画像データに基づく画像の解像度又はアスペクト比と、設定された前記解像度又はアスペクト比との差に対応するサイズの付加画像データを前記入力画像データに付加する第１付加ステップと、前記入力画像データに基づく画像の解像度又はアスペクト比と、設定された前記解像度又はアスペクト比との差に対応するサイズの前記付加画像データを前記合成画像データに付加する第２付加ステップと、を有し、前記入力画像データ又は前記合成画像データに付加される前記付加画像データの位置に、前記重畳画像データが合成されるか否かに応じて、前記第１付加ステップ又は前記第２付加ステップにより前記付加画像データを付加することを特徴とする。
本発明によれば、付加画像データの位置に、重畳画像データが合成されるか否かに応じて、第１付加ステップにより付加画像データを付加するか、第２付加ステップにより付加画像データを付加するかを切り替える。従って、入力画像データに重畳画像データを合成した後に、付加画像データを付加する処理の順序が効率のよい処理の順序である場合において、付加画像データの位置に、重畳画像データを合成する場合等、処理の順序に制約が生じる場合には、この制約に対応して処理を実行することができる。また、処理の順序に制約がなければ、効率のよい順序で処理を行うことができる。
【図面の簡単な説明】
【００１２】
【図１】プロジェクターの構成を示すブロック図。
【図２】黒帯画像データが付加された画像データを示す図。
【図３】黒帯画像データ上に、ＯＳＤ画像データを重ねた状態を示す図。
【図４】第１実施形態の画像処理装置の構成を示すブロック図。
【図５】制御部の動作を示すフローチャート。
【図６】第２実施形態の画像処理装置の構成を示すブロック図。
【発明を実施するための形態】
【００１３】
以下、図面を参照して本発明の実施形態について説明する。
【００１４】
［第１実施形態］
図１は、第１実施形態のプロジェクター（表示装置）１００の構成を示すブロック図である。
プロジェクター１００は、パーソナルコンピューターや各種映像プレーヤー等の外部の画像供給装置２００に接続され、この画像供給装置２００から供給される画像信号に基づく画像を投射対象に投射する。
画像供給装置２００には、例えば、ビデオ再生装置や、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等を用いることができる。また、投射対象は、建物の外壁等の一様に平らではない物体であってもよいし、スクリーンＳＣ等の一様に平らではない物体であってもよい。本実施形態は、投射対象がスクリーンＳＣである場合を例に挙げて説明する。
【００１５】
プロジェクター１００は、画像供給装置２００に接続するインターフェースとして、インターフェース部（以下、インターフェースをＩ／Ｆと略記する）１４０を備える。
Ｉ／Ｆ部１４０は、ケーブルを接続するコネクター及びＩ／Ｆ回路（いずれも図示略）を備え、ケーブルを介して接続された画像供給装置２００から供給される画像信号を入力する。Ｉ／Ｆ部１４０は、入力された画像信号から画像データを取り出し、取り出した画像データを画像処理部１５０Ａに出力する。Ｉ／Ｆ部１４０が画像処理部１５０Ａに出力する画像データを、以下では、画像データＤと表記する。画像データＤが本発明の「入力画像データ」に相当する。
【００１６】
Ｉ／Ｆ部１４０が備えるインターフェースは、例えば、Ｅｔｈｅｒｎｅｔ（登録商標）、ＩＥＥＥ１３９４、ＵＳＢ、ＲＳ−２３２Ｃ等のデータ通信用のインターフェースであってもよい。また、Ｉ／Ｆ部１４０のインターフェースは、ＭＨＬ（登録商標）、ＨＤＭＩ（登録商標）、ＤｉｓｐｌａｙＰｏｒｔ等の画像データ用のインターフェースであってもよい。
また、Ｉ／Ｆ部１４０は、コネクターとして、アナログ画像信号が入力されるＶＧＡ端子や、デジタル画像データが入力されるＤＶＩ（Digital Visual Interface）端子を備える構成であってもよい。さらに、Ｉ／Ｆ部１４０は、Ａ／Ｄ変換回路を備え、ＶＧＡ端子を介してアナログ画像信号が入力された場合に、Ａ／Ｄ変換回路によりアナログ画像信号を画像データに変換し、画像データＤとして画像処理部１５０Ａに出力する。
【００１７】
プロジェクター１００は、光学的な画像の形成を行い、スクリーンＳＣに画像を投射させる表示部１１０を備える。
表示部１１０は、光源部１１１、光変調装置１１２及び投射光学系１１３を備える。
光源部１１１は、キセノンランプ、超高圧水銀ランプ、ＬＥＤ（Light Emitting Diode）又はレーザー光源等の光源を備える。また、光源部１１１は、光源が発した光を光変調装置１１２に導くリフレクター及び補助リフレクターを備えていてもよい。さらに、光源部１１１は、投射光の光学特性を高めるためのレンズ群、偏光板、又は光源が発した光の光量を光変調装置１１２に至る経路上で低減させる調光素子等（いずれも図示略）を備えていてもよい。
【００１８】
光源部１１１は、光源駆動部１２１により駆動される。光源駆動部１２１は、内部バス１８０に接続される。光源駆動部１２１は、制御部１７０の制御により光源部１１１の光源を点灯及び消灯させる。
【００１９】
光変調装置１１２は、例えば、ＲＧＢの三原色に対応した３枚の液晶パネル１１５を備える。光源部１１１が発する光はＲＧＢの３色の色光に分離され、それぞれ対応する液晶パネル１１５に入射される。３枚の液晶パネル１１５は、透過型の液晶パネル１１５であり、透過する光を変調して画像光を生成する。各液晶パネル１１５を通過して変調された画像光は、クロスダイクロイックプリズム等の合成光学系によって合成され、投射光学系１１３に射出される。
【００２０】
光変調装置１１２は、光変調装置駆動部１２２により駆動される。光変調装置駆動部１２２は、内部バス１８０に接続される。
光変調装置駆動部１２２は、画像処理部１５０Ａから入力される出力画像データに基づき、対応する液晶パネル１１５を駆動し、各液晶パネル１１５に画像を描画する。出力画像データについては後述する。
【００２１】
投射光学系１１３は、光変調装置１１２により変調された画像光をスクリーンＳＣ方向へ投射して、スクリーンＳＣ上に結像させるレンズ群を備える。また、投射光学系１１３は、スクリーンＳＣに投射される投射画像を拡大又は縮小させるズーム機構や、フォーカスの調整を行うフォーカス調整機構を備えていてもよい。
【００２２】
プロジェクター１００は、無線通信部１３０を備える。無線通信部１３０は、内部バス１８０に接続される。無線通信部１３０は、図示しないアンテナやＲＦ（Radio Frequency）回路等を備え、制御部１７０の制御の下、外部の装置との間で無線通信を実行する。無線通信部１３０の無線通信方式は、例えば無線ＬＡＮ（Local Area Network）、Bluetooth（登録商標）、ＵＷＢ（Ultra Wide Band）、赤外線通信等の近距離無線通信方式、又は携帯電話回線を利用した無線通信方式を採用できる。
【００２３】
プロジェクター１００は、操作パネル１３３及び入力処理部１３７を備える。入力処理部１３７は、内部バス１８０に接続される。
ユーザーインターフェースとして機能する操作パネル１３３には、各種の操作キーや、液晶パネルにて構成された表示画面が設けられる。
入力処理部１３７は、操作パネル１３３の操作キーが操作されると、操作されたキーに対応した操作信号を制御部１７０に出力する。また、操作パネル１３３には、操作パネル１３３への接触を検出するタッチセンサーが重ね合わされて一体形成される。入力処理部１３７は、ユーザーの指等が接触した操作パネル１３３の位置を入力位置として検出し、検出した入力位置に対応した操作信号を制御部１７０に出力する。さらに、入力処理部１３７は、制御部１７０から入力される制御信号に基づいて、操作パネル１３３に各種画面を表示させる。
【００２４】
また、プロジェクター１００は、ユーザーが使用するリモコン５を有する。リモコン５は各種のボタンを備えており、これらのボタンの操作に対応して赤外線信号を送信する。プロジェクター１００の本体には、リモコン５が発する赤外線信号を受光するリモコン受光部１３５が配置されている。リモコン受光部１３５は、リモコン５から送信される赤外線信号を受光する。入力処理部１３７は、リモコン受光部１３５が受光した赤外線信号をデコードして、リモコン５における操作内容を示す操作信号を生成し、制御部１７０に出力する。
【００２５】
プロジェクター１００は、画像処理系を備える。この画像処理系は、プロジェクター１００の全体を統合的に制御する制御部１７０を中心に構成され、この他に、記憶部１６０、画像処理部１５０Ａ及びフレームメモリー１５７を備える。画像処理系を構成する各部は、内部バス１８０によりデータ通信可能に相互に接続される。フレームメモリー１５７は、本発明の「記憶部」に相当する。
【００２６】
画像処理部１５０Ａは、Ｉ／Ｆ部１４０から入力される画像データＤについて、解像度やアスペクト比、静止画像か動画像であるか、動画像である場合はフレームレート等の属性などを判定する。画像処理部１５０Ａは、判定した画像データＤの属性を属性情報として制御部１７０に出力する。また、画像処理部１５０Ａは、取得した画像データＤをフレームメモリー１５７に展開し、展開した画像データＤに対して画像処理を施す。画像処理部１５０Ａが実行する画像処理には、例えば、フレーム補間、黒帯挿入、ＯＳＤ（On Screen Display）画像の付加、形状補正、フレームレート変換等が含まれる。これらの処理の詳細については後述する。また、画像処理部１５０Ａは、これら以外の画像処理、例えば、色変換、色むら補正、ガンマ補正、ズーム処理、輝度補正処理等を実行することも可能である。画像処理部１５０Ａの詳細な構成については、図２を参照しながら説明する。
画像処理部１５０Ａは、画像処理を施した画像データをフレームメモリー１５７から読み出し、出力画像データとして光変調装置駆動部１２２に出力する。
【００２７】
記憶部１６０は、例えば、ハードディスク装置等の補助記憶装置である。記憶部１６０は、大容量の情報の記憶が可能なフラッシュメモリー又はＣＤ（Compact Disc）、ＤＶＤ（Digital Versatile Disc）、ＢＤ（Blu-ray（登録商標） Disc）等の光ディスクで代替されてもよい。記憶部１６０は、制御部１７０が実行するアプリケーションプログラムや各種データを記憶する。
【００２８】
制御部１７０は、ハードウェアとしてＣＰＵ、ＲＯＭ及びＲＡＭ（いずれも図示略）を備える。ＲＯＭは、フラッシュＲＯＭ等の不揮発性の記憶装置であり、制御プログラム及びデータを記憶する。ＲＡＭは、ＣＰＵのワークエリアを構成する。ＣＰＵは、ＲＯＭから読み出した制御プログラムをＲＡＭに展開し、展開された制御プログラムを実行してプロジェクター１００の各部を制御する。
制御部１７０は、機能ブロックとして、投射制御部１７１及び黒帯制御部１７２を備える。これらの機能ブロックは、ＲＡＭに展開された制御プログラムを実行することで実現される。
【００２９】
投射制御部１７１は、プロジェクター１００の各部を制御して、スクリーンＳＣへの画像の投射を制御する。
具体的には、投射制御部１７１は、光変調装置駆動部１２２を制御して液晶パネル１１５に画像を描画させる。さらに、投射制御部１７１は、光源駆動部１２１を制御して光源部１１１の光源を点灯させ、光源の輝度を調整させる。これにより、光源が発光して光変調装置１１２が変調する画像光が投射光学系１１３によりスクリーンＳＣに投射される。
【００３０】
黒帯制御部１７２は、画像データＤの解像度が、液晶パネル１１５のパネル解像度よりも小さい場合に、画像処理部１５０Ａに黒帯付加処理を実行させる。
黒帯付加処理とは、画像データＤに黒帯状の画像データ（以下、黒帯画像データＫという）を付加して、黒帯画像データＫが付加された画像データＤの解像度及びアスペクト比を、液晶パネル１１５のパネル解像度及びアスペクト比に一致させる処理である。より詳細には、黒帯画像データＫが付加された画像データＤの縦方向の画素数を液晶パネル１１５の縦方向の画素数に一致させ、黒帯画像データＫが付加された画像データＤの横方向の画素数を液晶パネル１１５の横方向の画素数に一致させる処理である。液晶パネル１１５のパネル解像度が、本発明の「設定された解像度」に相当し、液晶パネル１１５のアスペクト比が本発明の「設定されたアスペクト比」に相当する。
黒帯画像データＫは、画像が表示されない非表示の領域であることを示す黒色の画像データである。黒帯画像データＫは、本発明の「付加画像データ」に相当するが、付加画像データは、黒帯画像データＫに限定されるものではない。例えば、付加画像データの色は、黒色に限定されるものではなく、また、単色に限定されるものでもない。また、付加画像データは、事前に設定された所定のパターンを有する画像データであってもよい。
【００３１】
また、黒帯制御部１７２は、画像データＤに付加する黒帯画像データＫのサイズを算出する。黒帯制御部１７２は、画像データＤの解像度及びアスペクト比を維持したまま、画像データＤに黒帯画像データＫを付加して、黒帯画像データＫが付加された画像データＤの解像度及びアスペクト比を、液晶パネル１１５のパネル解像度及びアスペクト比に一致させる。黒帯制御部１７２は、画像データＤの解像度又はアスペクト比と、液晶パネル１１５のパネル解像度又アスペクト比との差に対応するサイズを、画像データＤに付加される黒帯画像データＫのサイズとして算出する。液晶パネル１１５のパネル解像度は、液晶パネル１１５の横方向の画素数（ドット数）及び縦方向の画素数（ドット数）により規定される総画素数の情報である。また、画像データＤの解像度は、１フレームを構成する画像データＤの横方向の画素数（ドット数）及び縦方向の画素数（ドット数）により規定される総画素数の情報である。
例えば、黒帯制御部１７２は、液晶パネル１１５の横方向の画素数と、画像データＤの横方向の画素数との差を算出して、画像データＤの横方向に付加する黒帯画像データＫの横方向のサイズ（画素数）を判定する。同様に、黒帯制御部１７２は、液晶パネル１１５の縦方向の画素数と、画像データＤの縦方向の画素数との差を算出して、画像データＤの縦方向に付加する黒帯画像データＫの縦方向のサイズ（画素数）を判定する。
【００３２】
図２には、画像データＤの上下に、黒帯画像データＫを付加した場合を示す。また、図３には、画像データＤの上下及び左右に、黒帯画像データＫを付加した場合を示す。
画像データＤに付加される黒帯画像データＫの位置は、画像データＤの解像度と、液晶パネル１１５のパネル解像度とに応じて事前に設定される。また、ユーザーが操作パネル１３３を操作して、黒帯画像データＫを表示する位置を選択できるようにしてもよい。例えば、図２に示す例では、画像データＤの上下両側に黒帯画像データＫが付加されているが、例えば、画像データＤの下側だけに黒帯画像データＫを付加してもよい。
【００３３】
図４は、画像処理装置３００Ａの構成を示すブロック図である。画像処理装置３００Ａは、プロジェクター１００を構成する一部の装置によって構成される装置である。画像処理装置３００Ａは、画像処理部１５０Ａ、フレームメモリー１５７、黒帯制御部１７２を備える。
画像処理部１５０Ａは、フレーム補間部１５１、黒帯挿入部１５２、ＯＳＤ合成部１５３、形状補正部１５４Ａ、フレームレート変換部１５５Ａを備える。ＯＳＤ合成部１５３は、本発明の「合成部」に相当する。黒帯挿入部１５２は、本発明の「第１付加部」に相当する。また、形状補正部１５４Ａは、第１実施形態では、本発明の「第２付加部」及び「第１処理部」に相当する。また、フレーム補間部が、本発明の「第２処理部」に相当する。
【００３４】
フレーム補間部１５１には、Ｉ／Ｆ部１４０から画像データＤが入力される。フレーム補間部１５１は、黒帯制御部１７２によってオン又はオフに設定される。フレーム補間部１５１は、オフに設定された場合、入力された画像データＤに対して処理を実施せず、入力された画像データＤをそのまま黒帯挿入部１５２に出力する。
【００３５】
また、フレーム補間部１５１は、オンに設定されると、入力された画像データＤをフレームメモリー１５７に書き込み、フレーム補間処理を実行する。フレーム補間部１５１が実行するフレーム補間処理が、本発明の「第２処理」に相当する。
フレーム補間部１５１は、フレーム補間処理を実行する場合、フレームメモリー１５７から、例えば、２フレーム分の画像データＤを読み込む。以下では、読み込んだ２フレーム分の画像データＤのうち、表示部１１０の表示順が最初の画像データＤを第１画像データＤといい、表示順が後の画像データＤを第２画像データＤという。フレーム補間部１５１は、読み込んだ２フレーム分の画像データＤの混成割合を調整しつつ合成することで、読み込んだ２フレーム分の画像データＤの中間の画像データ（以下、中間画像データＤという）を生成する。フレーム補間部１５１は、後段の黒帯挿入部１５２に、第１画像データＤ、中間画像データＤ、第２画像データＤの順に出力する。以下では、フレーム補間部１５１が黒帯挿入部１５２に出力する第１画像データＤ、中間画像データＤ及び第２画像データＤを特に区別することなく、画像データＤと表記する。
【００３６】
黒帯挿入部１５２には、フレーム補間部１５１から、フレーム補間処理された画像データＤ、又はフレーム補間処理されていない画像データＤが入力される。
【００３７】
黒帯挿入部１５２は、黒帯制御部１７２によってオン又はオフに設定される。
黒帯制御部１７２は、画像処理部１５０Ａに入力された画像データＤの解像度が、液晶パネル１１５のパネル解像度よりも小さいと判定した場合に、黒帯付加処理を実行させる。
まず、黒帯制御部１７２は、操作パネル１３３により受け付けた操作設定等により、画像データＤに、ＯＳＤ画像データ（以下、ＯＳＤ画像データＰと表記する。本発明の「重畳画像データ」に相当する。）を合成する設定となっているか否かを判定する。黒帯制御部１７２は、ＯＳＤ画像データＰを合成する場合に、操作パネル１３３により受け付けた操作設定、又は初期設定により設定されたＯＳＤ画像データＰを合成する位置を特定する。本実施形態では、フレームメモリー１５７を利用してＯＳＤ画像データＰの合成が行われるため、黒帯制御部１７２は、フレームメモリー１５７上の位置（座標）によりＯＳＤ画像データＰを合成する位置を特定する。フレームメモリー１５７は、複数の記憶素子が縦方向及び横方向に等間隔で並べた記憶領域を有しており、１画素が１座標に対応するものとする。このフレームメモリー１５７上の位置（座標）は、例えば、記憶領域の左上を原点とする座標により特定される。また、ＯＳＤ画像データＰは、プロジェクター１００の各種機能の設定を行うための画像データや、プロジェクター１００が表示する画像の画質を調整するための画像データである。画像データＤへのＯＳＤ画像データＰの合成は、ＯＳＤ合成部１５３により行われる。
【００３８】
黒帯制御部１７２は、画像データＤに、ＯＳＤ画像データＰを合成すると判定した場合、ＯＳＤ画像データＰを合成する合成位置と、黒帯画像データＫが付加される付加位置との少なくとも一部が重なるか否かを判定する。より詳細には、黒帯制御部１７２は、フレームメモリー１５７上に、画像データＤ、黒帯画像データＫ、ＯＳＤ画像データＰを展開して、液晶パネル１１５に描画する１フレームの画像データを構成する場合に、フレームメモリー１５７の同一座標に展開される黒帯画像データＫ及びＯＳＤ画像データＰが存在するか否かを判定する。図３には、画像データＤに付加された黒帯画像データＫに、ＯＳＤ画像データＰを合成した状態を示す。
【００３９】
ＯＳＤ画像データＰの合成位置と、黒帯画像データＫの付加位置との少なくとも一部が重なると判定した場合、黒帯制御部１７２は、黒帯挿入部１５２に、黒帯付加処理を実行させる。すなわち、ＯＳＤ合成部１５３がＯＳＤ画像データＰを合成する前に、黒帯挿入部１５２により、黒帯画像データＫを画像データＤに付加させ、ＯＳＤ合成部１５３により、黒帯画像データＫが付加された画像データＤに、ＯＳＤ画像データＰを合成させる。
また、黒帯制御部１７２は、黒帯挿入部１５２に黒帯付加処理を実行させる場合に、フレーム補間部１５１をオフに設定して、フレーム補間処理の実行を制限する。黒帯付加処理は、フレームメモリー１５７への画像データＤの書き込み又は読み出しを伴って行われる処理であるため、画像処理部１５０Ａとフレームメモリー１５７とを接続するバスの帯域負荷が増加する。このため、黒帯制御部１７２は、フレームメモリー１５７への画像データの書き込みと読み出しとが発生する他の処理、本実施形態では、フレーム補間部１５１が実行するフレーム補間処理をオフに設定することで、バスの帯域負荷の増加を抑制する。
【００４０】
また、黒帯制御部１７２は、ＯＳＤ画像データＰの合成位置と、黒帯画像データＫの付加位置との少なくとも一部が重ならないと判定した場合、形状補正部１５４Ａに黒帯付加処理を実行させる。ＯＳＤ画像データＰの合成位置が、黒帯画像データＫの付加位置の少なくとも一部に重ならない場合、ＯＳＤ合成部１５３の前段の黒帯挿入部１５２に黒帯画像データＫを付加させる必要はない。また、上述したように、黒帯付加処理は、フレームメモリー１５７への画像データの書き込み又は読み出しを伴い、バスの帯域負荷が増加する処理である。このため、黒帯制御部１７２は、黒帯付加処理以外の他の処理によりフレームメモリー１５７に画像データＤを書き込むとき、又はフレームメモリー１５７から画像データＤを読み出すときに、この他の処理を実行する機能部に、黒帯付加処理を実行させる。本実施形態では、黒帯付加処理を実行させるブロックとして形状補正部１５４Ａを選択し、形状補正部１５４Ａが形状補正処理を実行して、形状補正した画像データＤをフレームメモリー１５７に書き込むときに、黒帯付加処理を実行させる。これによって、黒帯付加処理によるバスの帯域負荷の増加を抑制することができる。
【００４１】
黒帯制御部１７２は、黒帯挿入部１５２に黒帯付加処理を実行させない場合に、黒帯挿入部１５２をオフに設定する。また、黒帯制御部１７２は、黒帯挿入部１５２に黒帯付加処理を実行させる場合に、黒帯挿入部１５２をオンに設定し、黒帯挿入部１５２に、黒帯画像データＫを付加させる付加位置の情報を出力する。付加位置の情報は、黒帯画像データＫを合成させるフレームメモリー１５７上の座標を示す情報である。
黒帯挿入部１５２は、黒帯制御部１７２によりオフに設定された場合、フレーム補間部１５１から入力される画像データＤに対して処理を実行せず、入力される画像データＤをそのままＯＳＤ合成部１５３に出力する。
また、黒帯挿入部１５２は、黒帯制御部１７２によりオンに設定された場合、フレーム補間部１５１から入力される画像データＤをフレームメモリー１５７に書き込む。そして、黒帯挿入部１５２は、書き込まれた画像データＤをフレームメモリー１５７から読み出す際に、付加位置の情報が示すフレームメモリー１５７の座標からデータを読み出す場合に、読み出されるデータに代えて、黒帯画像データＫを画像データＤに付加し、ＯＳＤ合成部１５３に出力する。
【００４２】
ＯＳＤ合成部１５３には、黒帯挿入部１５２から、黒帯画像データＫが付加された画像データＤ、又は黒帯画像データＫが付加されていない画像データＤが入力される。これらの画像データＤを特に区別することなく、以下では画像データＤと表記する。ＯＳＤ合成部１５３は、画像データＤに、ＯＳＤ画像データＰを合成する合成処理を実行する。
【００４３】
ＯＳＤ合成部１５３は、黒帯制御部１７２によってオン又はオフに設定される。
黒帯制御部１７２は、操作パネル１３３により受け付けた設定、又は初期設定により、画像データＤにＯＳＤ画像データＰを合成する場合、ＯＳＤ合成部１５３をオンに設定する。また、黒帯制御部１７２は、ＯＳＤ画像データＰを合成するフレームメモリー１５７上の位置（座標）を指定した合成位置の情報をＯＳＤ合成部１５３に出力する。
【００４４】
ＯＳＤ合成部１５３は、オフに設定された場合、黒帯挿入部１５２から入力される画像データＤに対して処理を実行せず、入力された画像データＤをそのまま形状補正部１５４Ａに出力する。また、ＯＳＤ合成部１５３は、オンに設定され、黒帯制御部１７２からＯＳＤ画像の合成指示と、合成位置の情報とが入力された場合、まず、フレームメモリー１５７に記憶されたＯＳＤ画像データＰを読み出す。そして、ＯＳＤ合成部１５３は、黒帯挿入部１５２から入力される画像データＤに対して、合成位置の情報が示す位置（座標）にＯＳＤ画像データＰを合成する。ＯＳＤ合成部１５３は、合成処理した画像データ（合成画像データ）を形状補正部１５４Ａに出力する。
【００４５】
形状補正部１５４Ａには、ＯＳＤ合成部１５３から、ＯＳＤ画像データＰが合成された画像データＤ、又はＯＳＤ画像データＰが合成されていない画像データＤが入力される。これらの画像データＤを特に区別することなく、以下では画像データＤと表記する。
形状補正部１５４Ａは、プロジェクター１００がスクリーンＳＣに投射する投射画像の歪みを補正するため、黒帯制御部１７２から入力される補正パラメーターをもとに、画像データＤに基づく画像の形状を補正する。以下、形状補正部１５４Ａが行う処理を形状補正処理という。形状補正処理が、本発明の「第１処理」に相当する。形状補正部１５４Ａは、画像データＤの形状を補正し、形状を補正した画像データＤをフレームメモリー１５７に書き込む。
【００４６】
また、形状補正部１５４Ａは、画像データＤに黒帯画像データＫを付加する黒帯付加処理を実行する機能を備える。
黒帯制御部１７２は、黒帯画像データＫの付加位置と、ＯＳＤ画像データＰの合成位置との少なくとも一部が重ならないと判定した場合に、形状補正部１５４Ａに、黒帯付加処理の実行を指示する。
形状補正部１５４Ａは、黒帯付加処理の実行が指示された場合、形状補正した画像データＤに黒帯画像データＫを付加し、黒帯画像データＫを付加した画像データＤをフレームメモリー１５７に書き込む。
【００４７】
フレームレート変換部１５５Ａは、フレームメモリー１５７から画像データＤを複数回読み出すことで画像データＤのフレームレートを変換する。例えば、形状補正部１５４Ａが６０Ｈｚの周波数で画像データＤをフレームメモリー１５７に書き込み、フレームレート変換部１５５Ａが１フレームの画像データＤを４回連続して読み出すことで、画像データＤの周波数を４倍の２４０Ｈｚ、すなわち、光変調装置駆動部１２２が液晶パネル１１５を駆動する周波数に一致させる。
【００４８】
図５は、黒帯制御部１７２の動作を示すフローチャートである。
プロジェクター１００は、画像供給装置２００から供給される画像信号をＩ／Ｆ部１４０で受信する。Ｉ／Ｆ部１４０は、受信した画像信号から画像データＤを取り出し、取り出した画像データＤを画像処理部１５０Ａに出力する。
【００４９】
画像処理部１５０Ａは、画像データＤが入力されると、入力された画像データＤについて、解像度やアスペクト比、静止画像か動画像であるか、動画像である場合はフレームレート等の属性などを判定する。画像処理部１５０Ａは、判定した属性を属性情報として制御部１７０に出力する。
【００５０】
黒帯制御部１７２は、入力された属性情報に基づき、画像データＤの解像度及びアスペクト比に変化が生じたか否かを判定する（ステップＳ１）。画像データＤの解像度及びアスペクト比に変化が生じていないと判定した場合（ステップＳ１／ＮＯ）、黒帯制御部１７２は、この処理フローを終了させる。また、黒帯制御部１７２は、画像データＤの解像度又はアスペクト比に変化が生じたと判定した場合（ステップＳ１／ＹＥＳ）、画像データＤの解像度が、液晶パネル１１５のパネル解像度よりも小さいか否かを判定する（ステップＳ２）。
【００５１】
否定判定の場合（ステップＳ２／ＮＯ）、黒帯制御部１７２は、フレーム補間部１５１をオンに設定し（ステップＳ５）、黒帯挿入部１５２をオフに設定する（ステップＳ６）。また、黒帯制御部１７２は、形状補正部１５４Ａに、黒帯付加処理の実行を指示しない（ステップＳ７）。
画像データＤの解像度が、液晶パネル１１５のパネル解像度と同一、又はパネル解像度よりも大きい場合、黒帯付加処理を実行する必要がない。このため、黒帯制御部１７２は、黒帯挿入部１５２をオフに設定し（ステップＳ６）、形状補正部１５４Ａに、黒帯付加処理の実行を指示しない（ステップＳ７）。また、黒帯挿入部１５２が黒帯付加処理を実行しないため、フレーム補間部１５１に、フレーム補間処理を実行させる（ステップＳ５）。
【００５２】
また、黒帯制御部１７２は、画像データＤの解像度が、液晶パネル１１５のパネル解像度よりも小さいと判定した場合（ステップＳ２／ＹＥＳ）、画像データＤにＯＳＤ画像データＰを合成する設定であるか否かを判定する（ステップＳ３）。画像データＤにＯＳＤ画像データＰを合成しないと判定した場合（ステップＳ３／ＮＯ）、黒帯制御部１７２は、フレーム補間部１５１をオンに設定し（ステップＳ８）、黒帯挿入部１５２をオフに設定する（ステップＳ９）。また、黒帯制御部１７２は、形状補正部１５４Ａに、黒帯付加処理の実行を指示する（ステップＳ１０）。すなわち、画像データＤにＯＳＤ画像データＰが合成されないため、黒帯制御部１７２は、黒帯付加処理を実行させるブロックとして、形状補正部１５４Ａを選択する。
【００５３】
また、ステップＳ３の判定が肯定判定の場合（ステップＳ３／ＹＥＳ）、ＯＳＤ画像データＰが合成される合成位置と、黒帯画像データＫが付加される付加位置との少なくとも一部が重なるか否かを判定する（ステップＳ４）。ステップＳ４の判定が否定判定の場合（ステップＳ４／ＮＯ）、黒帯制御部１７２は、フレーム補間部１５１をオンに設定し（ステップＳ８）、黒帯挿入部１５２をオフに設定する（ステップＳ９）。また、黒帯制御部１７２は、形状補正部１５４Ａに、黒帯付加処理の実行を指示する（ステップＳ１０）。ＯＳＤ画像データＰの合成位置と、黒帯画像データＫの付加位置とが重ならないため、黒帯挿入部１５２に、黒帯付加処理を実行させる必要はない。このため、黒帯制御部１７２は、黒帯付加処理を実行させるブロックとして、形状補正部１５４Ａを選択し、フレーム補間部１５１に、フレーム補間処理を実行させる。
【００５４】
また、ステップＳ４の判定が肯定判定の場合（ステップＳ４／ＹＥＳ）、黒帯制御部１７２は、フレーム補間部１５１をオフに設定し（ステップＳ１１）、黒帯挿入部１５２をオンに設定する（ステップＳ１２）。また、黒帯制御部１７２は、形状補正部１５４Ａに、黒帯付加処理の実行を指示しない（ステップＳ１３）。ＯＳＤ画像データＰの合成位置と、黒帯画像データＫの付加位置との少なくとも一部が重なるため、ＯＳＤ合成部１５３よりも前段に設けた黒帯挿入部１５２に、黒帯付加処理を実行させる必要がある。このため、黒帯制御部１７２は、黒帯付加処理を実行させるブロックとして、黒帯挿入部１５２を選択し、フレーム補間部１５１をオフに設定する。
【００５５】
以上説明したように本発明の画像処理装置、表示装置、及び、画像処理装置の制御方法を適用した第１実施形態のプロジェクター１００は、画像データＤに基づき、液晶パネル１１５のパネル解像度又はアスペクト比に一致する解像度又はアスペクト比の出力画像データを出力する画像処理部１５０Ａを備える。
画像処理部１５０Ａは、ＯＳＤ合成部１５３、黒帯挿入部１５２、形状補正部１５４Ａを備える。ＯＳＤ合成部１５３は、ＯＳＤ画像データＰが合成された画像データＤを出力する。黒帯挿入部１５２は、画像データＤに基づく画像の解像度又はアスペクト比と、液晶パネル１１５の解像度又はアスペクト比との差に対応するサイズの黒帯画像データＫを画像データＤに付加する。画像処理部１５０Ａは、画像データＤに付加される黒帯画像データＫの位置に、ＯＳＤ画像データＰが合成されるか否かに応じて、黒帯挿入部１５２により黒帯画像データＫを付加する処理、又は形状補正部１５４Ａにより黒帯画像データＫを付加する処理を実行する。
従って、画像データＤにＯＳＤ画像データＰを合成した後に、黒帯画像データＫを付加する処理の順序が効率のよい処理の順序である場合において、黒帯画像データＫの位置に、ＯＳＤ画像データＰを合成する場合等、処理の順序に制約が生じる場合には、この制約に対応して処理を実行することができる。また、処理の順序に制約がなければ、効率のよい順序で処理を行うことができる。
【００５６】
また、画像処理装置３００Ａは、黒帯制御部１７２を備える。黒帯制御部１７２は、画像データＤに付加される黒帯画像データＫの位置に、ＯＳＤ画像データＰが合成される場合に、黒帯挿入部１５２に、黒帯画像データＫを付加する処理を実行させる。また、黒帯制御部１７２は、画像データＤに付加される黒帯画像データＫの位置に、ＯＳＤ画像データＰが合成されない場合に、形状補正部１５４Ａに、黒帯画像データＫを付加する処理を実行させる。
従って、画像データＤに付加される黒帯画像データＫの位置に、ＯＳＤ画像データＰが合成されるか否かを黒帯制御部１７２に判定させ、判定結果に基づいて、黒帯挿入部１５２又は形状補正部１５４Ａに黒帯画像データＫを付加する処理を実行させることができる。
【００５７】
また、画像処理装置３００Ａは、フレームメモリー１５７を備える。黒帯挿入部１５２は、画像データＤをフレームメモリー１５７に書き込み、フレームメモリー１５７から読み出した画像データＤに黒帯画像データＫを付加する。形状補正部１５４Ａは、ＯＳＤ画像データＰが合成された画像データＤに対して形状補正を行う処理部として機能する。また、形状補正部１５４Ａは、形状補正された画像データＤに黒帯画像データＫを付加してフレームメモリー１５７に書き込む。
従って、画像データＤに黒帯画像データＫを付加するためだけに、画像データＤをフレームメモリー１５７に書き込んだり、フレームメモリー１５７から画像データＤを読み出したりする処理を行う必要がなくなる。このため、フレームメモリー１５７に接続するバスの帯域負荷の増加を抑制することができる。
【００５８】
また、画像処理装置３００Ａは、画像データＤをフレームメモリー１５７に書き込み、フレームメモリー１５７から読み出した画像データＤに対してフレーム補間を行うフレーム補間部１５１を備える。黒帯制御部１７２は、黒帯挿入部１５２に、黒帯画像データＫを付加させる場合に、フレーム補間部１５１の処理の実行を制限する。
従って、画像データＤに黒帯画像データＫを付加するために、フレームメモリー１５７に画像データＤを書き込んだり、フレームメモリー１５７から画像データＤを読み出したりする処理を行う場合に、フレーム補間部１５１の処理が制限されるので、フレームメモリー１５７に接続するバスの帯域負荷の増加を抑制することができる。
【００５９】
［第２実施形態］
本発明の第２実施形態について説明する。図６は、第２実施形態の画像処理部１５０Ｂの構成を示すブロック図である。
第１実施形態では、黒帯挿入部１５２により黒帯付加処理を実行しない場合に、形状補正部１５４Ａに、黒帯付加処理を実行させた。第２実施形態では、黒帯挿入部１５２により黒帯付加処理を実行しない場合に、フレームレート変換部１５５Ｂにより黒帯付加処理を実行する。第２実施形態では、フレームレート変換部１５５Ｂが本発明の「第２付加部」及び「第１処理部」に相当する。
第２実施形態の画像処理部１５０Ｂは、形状補正部１５４Ｂと、フレームレート変換部１５５Ｂとが接続され、形状補正部１５４Ｂからフレームレート変換部１５５Ｂに、背景情報が入力される。この背景情報は、形状補正部１５４Ｂによる形状補正後の画像データＤに付加される黒帯画像データの位置を示す情報であり、例えば、黒帯画像データを付加するフレームメモリー１５７の位置を示す座標データである。
【００６０】
フレームレート変換部１５５Ｂは、黒帯制御部１７２により黒帯付加処理の実行を指示されると、形状補正部１５４Ｂから入力される背景情報に従って、背景情報により指定されるフレームメモリー１５７の画像データを読み出すときに、このフレームメモリー１５７から読み出される画像データに代えて黒帯画像データを付加し、光変調装置駆動部１２２に出力する。
【００６１】
以上説明したように本発明の画像処理装置、表示装置、及び、画像処理装置の制御方法を適用した第２実施形態の画像処理装置３００Ｂは、フレームレート変換部１５５Ｂがフレームメモリー１５７に書き込まれた合成画像データを読み出してフレームレート変換を行うときに、読み出した合成画像データに黒帯画像データが付加される。従って、フレームレート変換部１５５Ｂにより合成画像データに黒帯画像データを付加する場合に、黒帯画像データを付加するためだけに、フレームメモリー１５７に合成画像データを書き込んだり読み出したりする必要がなくなる。このため、フレームメモリー１５７に接続するバスの帯域負荷の増加を抑制することができる。
【００６２】
上述した第１及び第２実施形態は、本発明の好適な実施の形態である。但し、これに限定されるものではなく、本発明の要旨を逸脱しない範囲内において種々の変形実施が可能である。
例えば、上述した第１及び第２実施形態では、黒帯挿入部１５２により入力画像データに黒帯画像データを付加する場合に、フレーム補間部１５１に、フレーム補間処理の実行を制限させた。黒帯挿入部１５２により入力画像データに黒帯画像データを付加する場合に、実行を制限する処理は、フレーム補間処理に限定されるものではなく、フレームメモリー１５７へのデータの書き込み又は読み出しを行って、処理を実行する機能であればよい。例えば、フレーム補間処理に代えて、オーバードライブ処理の実行を制限してもよい。
オーバードライブ処理とは、制御部１７０の指示に基づいて、液晶パネル１１５の中間階調における応答を高速にするための処理である。具体的には、中間階調に設定される画素に通常よりも大きな電圧が印加されるように画素値を調整し、調整後の画像データを表示部１１０の光変調装置駆動部１２２に出力する処理である。このオーバードライブ処理により、動きの早い映像（動画像）を表示した際の残像を低減することが可能となる。
【００６３】
また、上述した実施形態では、光源が発した光を変調する光変調装置１１２として、ＲＧＢの各色に対応した３枚の透過型の液晶パネルを用いた構成を例に挙げて説明したが、本発明はこれに限定されるものではない。例えば、３枚の反射型液晶パネルを用いた構成としてもよいし、１枚の液晶パネルとカラーホイールを組み合わせた方式を用いてもよい。或いは、３枚のデジタルミラーデバイス（ＤＭＤ）を用いた方式、１枚のデジタルミラーデバイスとカラーホイールを組み合わせたＤＭＤ方式等により構成してもよい。光変調装置として１枚のみの液晶パネルまたはＤＭＤを用いる場合には、クロスダイクロイックプリズム等の合成光学系に相当する部材は不要である。また、液晶パネルおよびＤＭＤ以外にも、光源が発した光を変調可能な光変調装置であれば問題なく採用できる。
【００６４】
また、図１に示したプロジェクター１００の各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１００の他の各部の具体的な細部構成についても、本発明の趣旨を逸脱しない範囲で任意に変更可能である。
【００６５】
また、図５に示すフローチャートの処理単位は、プロジェクター１００の黒帯制御部１７２の処理を理解容易にするために、主な処理内容に応じて分割したものであり、処理単位の分割の仕方や名称によって本発明が制限されることはない。また、黒帯制御部１７２の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【００６６】
５…リモコン、１００…プロジェクター（表示装置）、１１１…光源部、１１２…光変調装置、１１３…投射光学系、１１５…液晶パネル、１２１…光源駆動部、１２２…光変調装置駆動部、１３０…無線通信部、１３３…操作パネル、１３５…リモコン受光部、１３７…入力処理部、１４０…Ｉ／Ｆ部、１５０Ａ…画像処理部、１５０Ｂ…画像処理部、１５１…フレーム補間部（第２処理部）、１５２…黒帯挿入部（第１付加部）、１５３…ＯＳＤ合成部(合成部)、１５４Ａ、１５４Ｂ…形状補正部（第２付加部、第１処理部）、１５５Ａ…フレームレート変換部、１５５Ｂ…フレームレート変換部（第２付加部、第１処理部）、１５７…フレームメモリー（記憶部）、１６０…記憶部、１７０…制御部、１７１…投射制御部、１７２…黒帯制御部（制御部）、１８０…内部バス、２００…画像供給装置、３００Ａ、３００Ｂ…画像処理装置。
【図１】
2017228884.tif 000003
【図２】
2017228884.tif 000004
【図３】
2017228884.tif 000005
【図４】
2017228884.tif 000006
【図５】
2017228884.tif 000007
【図６】
2017228884.tif 000008